(57)【要約】【課題】嵌合体は構造上バネを収納する空間を省くことができ、支柱上に固定する嵌合制御装置の外形体積を公知構造より小型化可能で、美しい外観を達成し、また製造コストが低く、さらに使用時に大きな空間を占めるおそれのないテント支柱の嵌合制御装置を提供する。【解決手段】  主に嵌合体、ボタン、弾片を含む。該嵌合体片側軸方向にはマフを形成し、テント支柱外係合管の端部を嵌設し、該嵌合体反対側には径方向に収容区を形成する。該ボタンの上部或いは下部は該収容区上に可動接続し、「V」型弾片はテント支柱内係合管の対応端内に固定し、該弾片の一端は径方向に凸柱を設置し、該凸柱は該内係合管の定位孔中に延伸、設置される。テント支柱の外係合管の端部には該ボタン位置に対応し定位孔を設置し、本考案の嵌合制御装置は該弾片を該テント支柱の内係合管中に直接設置するため、その外部には該ボタンに対応する嵌合体を設置するだけで良い。【選択図】  図３
0003123507.tif 000002
【実用新案登録請求の範囲】
【請求項１】
主に嵌合体、ボタン、弾片を含み、
該嵌合体片側軸方向にはマフを形成し、テント支柱外係合管の端部を嵌設し、該嵌合体反対側には径方向に収容区を形成し、
該ボタンの上部或いは下部は該収容区上に可動接続し、「V」型弾片はテント支柱内係合管の対応端内に固定し、該弾片の一端は径方向に凸柱を設置し、該凸柱は該内係合管の定位孔中に延伸、設置され、テント支柱の外係合管の端部にもボタン位置に対応し定位孔を設置することを特徴とするテント支柱の嵌合制御装置。
【考案の詳細な説明】
【技術分野】
【０００１】
本考案は一種の大型テントに応用される支柱中の嵌合制御装置に係る。
【背景技術】
【０００２】
一般の折畳み可能な大型テントの各支柱はすべて内外係合管として設置されている。大型テント各支柱の内外係合管は展開及び収納時に比較的大きな力を加える必要があるため、各支柱内外係合管の展開及び収納の便を図ろうと、該２二係合管の連接定位位置には共に嵌合制御装置を設置する。
図1、2に示すように、公知の大型テント支柱中に使用される嵌合制御装置は嵌合体1’、ボタン2’、復位バネ3’、定位ピン4’により構成される。
該嵌合体1’片側軸方向にはマフ11’を形成し、テント支柱の外係合管A上に嵌設する。該嵌合体1’の反対側には径方向に収容区12を形成する。該ボタン2’の中央部は該収容区12’の中央部に可動接続し、該復位バネ3’の一端は該嵌合体1’収容区12’の上部に固定し、反対端は該ボタン2’上部内側に接触する。該ボタン2’の下部には固定ピン4’を固定し、該固定ピン4’はテント支柱内外係合管A、B上の定位孔A1、B1を貫通可能である。
テント使用時には、各支柱の内外係合管A、Bを展開し、該内外係合管A、Bの定位孔A1、B1が対応すると、該嵌合制御装置のボタン2’の上部は該復位バネ3’に押され続けるため、該ボタン2’下部に位置する定位ピン4’は該各支柱の内外係合管A、Bの定位孔A1、B1中に延伸、設置され、支柱に対して展開定位作用を実現する。
該内外係合管A、Bを収納する時には、該ボタン2’上方を押すだけで、てこの作用により、該定位ピン4’は該定位孔A1、B1中から脱出し、該内外係合管A、Bは収納機能を実現する。
しかし上述の嵌合制御装置構造を詳細に点検した結果、定位ピン及び復位バネが共に嵌合体中に設置されているため、嵌合体全体には一定の収容空間が必要であり、嵌合制御装置の体積外形を大きく、コストを高くしてしまっていることが分かった。しかもテント展開時には美しくなく、テント収納時には一定の空間を占拠していた。
【考案の開示】
【考案が解決しようとする課題】
【０００３】
本考案は上記構造の問題点を解決したテント支柱の嵌合制御装置を提供するものである。
【課題を解決するための手段】
【０００４】
上記課題を解決するため、本考案は下記のテント支柱の嵌合制御装置を提供する。
それは主に一種のテント支柱の嵌合制御装置を提供し、その体積は小さく、コストは低く、同時に大型テント支柱の展開及び収納をスムーズに実現することができ、
すなわちそれは嵌合体、ボタン、弾片を含み、
該嵌合体片側軸方向にはマフを形成し、テント支柱外係合管の端部を嵌設し、該嵌合体反対側には径方向に収容区を形成し、
該ボタンの上部或いは下部は該収容区上に可動接続し、「V」型弾片はテント支柱内係合管の対応端内に固定し、該弾片の一端は径方向に凸柱を設置し、該凸柱は該内係合管の定位孔中に延伸、設置され、テント支柱の外係合管の端部には該ボタン位置に対応し定位孔を設置し、
本考案の嵌合制御装置は該弾片を該テント支柱の内係合管中に直接設置するため、その外部には該ボタンに対応する嵌合体を設置するだけで良く、テント各支柱の内外係合管を展開する時には、該弾片を該内係合管の対応端内に直接設置し、しかもその上の凸柱は該内係合管の定位孔中に延伸設置するため、該外係合管の定位孔が該内係合管の定位孔に対応する時、弾片の作用により、該弾片上の凸柱は該外係合管の定位孔中に延伸し、内外係合管の展開定位を実現し、各支柱の内外係合管を収納する時には、該嵌合制御装置のボタンを押し、該弾片の凸柱を該係合管内に向けて押し収縮させるだけで、該外係合管は嵌合制御作用を失い、内係合管は外に向かい該係合管内に収納され、よって、本考案嵌合制御装置の嵌合体は、構造上バネを収納する空間を省くことができるため、テント各支柱上に固定する嵌合制御装置の外形体積は公知構造より小さく、美しい外観を達成し、また製造コストが低く、さらに使用時に大きな空間を占めることはないことを特徴とするテント支柱の嵌合制御装置である。
【考案の効果】
【０００５】
上記のように、本考案は嵌合制御装置の嵌合体は構造上バネを収納する空間を省くことができるため、テント各支柱上に固定する嵌合制御装置の外形体積は公知構造より小さく、美しい外観を達成し、また製造コストが低く、さらに使用時に大きな空間を占めることはない。
【考案を実施するための最良の形態】
【０００６】
図3、4に示すように、本考案の嵌合制御装置は嵌合体1、ボタン2、弾片3を含む。
該嵌合体1片側軸方向にはマフ11を形成しテント支柱外係合管Bの端部を嵌設する。該嵌合体1の反対側には径方向に収容区12を形成する。
該ボタン2の上部或いは下部該嵌合体1の収容区12上に可動接続し、該ボタン2が正面対応するテント支柱の外係合管B端部には定位孔B1を設置する。
該弾片3は「V」型弾片で、その内の１本の支柱は径方向に凸柱31を設置する。該弾片3は該テント支柱内係合管Aの対応端内に設置し、しかも該凸柱31は該内係合管の定位孔A1中に延伸、設置される。
【０００７】
テント各支柱の内外係合管A、Bを展開する時には、該弾片3は直接該内係合管Aの対応端内に設置され、しかもその上の凸柱31は該内係合管Aの定位孔A1中に延伸するため、該外係合管Bの定位孔B1が該内係合管Aの定位孔A1に対応すると、該弾片3の作用により、該弾片3上の凸柱31は該外係合管Bの定位孔B1中に延伸する。こうして、該内外係合管A、Bの展開定位を達成する。
テント各支柱の内外係合管A、Bを収納する時には、該嵌合体1上に可動接続するボタン2を押すだけで、該ボタン2は該弾片3の凸柱31を押し該係合管内に収縮させる。これにより該凸柱31は該外係合管Bの定位孔B1中より脱出し、該外係合管Bは嵌合制御作用を失い、該内係合管Aは外に向かい該係合管B内に収納される。
【図面の簡単な説明】
【０００８】
【図１】公知構造の分解指示図である。
【図２】公知構造の組合せ指示図である。
【図３】本考案の分解指示図である。
【図４】本考案の組合せ指示図である。
【符号の説明】
【０００９】
1’  嵌合体
11’  マフ
12’  収容区
2’  ボタン
3’  復位バネ
4’  定位ピン
A、B  内外係合管
A1、B1  定位孔
1  嵌合体
11  マフ
12  収容区
2  ボタン
3  弾片
31  凸柱
A  テント支柱内係合管
A1  定位孔
B  テント支柱外係合管
B1  定位孔
【図１】
0003123507.tif 000003
【図２】
0003123507.tif 000004
【図３】
0003123507.tif 000005
【図４】
0003123507.tif 000006